(57)【要約】【課題】  景品の不正取得を効果的に防止することができる景品獲得ゲーム機を提供する。【解決手段】  景品配置エリア４から景品落下口５へと景品を移動させるための景品移動手段と、ゲームを開始してから終了するまで景品落下口５を開状態とし、ゲームを行わないときに景品落下口５を閉状態とするための開閉板５０とを備えている景品獲得ゲーム機であって、ゲーム開始時、開閉板を閉状態から開状態へと移動させるとともに、その途中、当該開閉板５０を一時的に景品配置エリア４に向けて下り勾配状に傾斜させる開閉板駆動手段５１を備えている。【選択図】  図３
2006218184.tif 000002
【特許請求の範囲】
【請求項１】
景品配置エリアから景品落下口へと景品を移動させるための景品移動手段と、ゲームを開始してから終了するまで上記景品落下口を開状態とし、ゲームを行わないときに上記景品落下口を閉状態とするための開閉板とを備えている景品獲得ゲーム機であって、
ゲーム開始時、上記開閉板を閉状態から開状態へと移動させるとともに、その途中、当該開閉板を一時的に上記景品配置エリアに向けて下り勾配状に傾斜させる開閉板駆動手段を備えていることを特徴とする、景品獲得ゲーム機。
【請求項２】
上記景品配置エリアは、環状に形成されているとともに、上記景品移動手段は、上記景品配置エリアの周囲における複数箇所に設置されており、かつ、上記景品落下口は、上記景品配置エリアの周囲において上記景品移動手段のそれぞれに隣接するように設けられている、請求項１に記載の景品獲得ゲーム機。
【請求項３】
上記景品移動手段は、上記景品配置エリアにある景品を取り上げて移動させるクレーン機構と、このクレーン機構から放たれた景品が載るとともに、上記景品落下口へと景品を落とすように往復動作を行うプッシャテーブルとを有して構成されている、請求項１または２に記載の景品獲得ゲーム機。
【請求項４】
上記開閉板は、上記景品配置エリアに近接して回転可能に支持された基端部を有し、上記開閉板駆動手段には、上記基端部を支軸に上記開閉板を揺動させるリンク機構が含まれている、請求項１ないし３のいずれかに記載の景品獲得ゲーム機。
【発明の詳細な説明】
【技術分野】
【０００１】
本願発明は、景品落下口を筐体内側に備えた景品獲得ゲーム機に関する。
【背景技術】
【０００２】
従来の景品獲得ゲーム機としては、たとえば特許文献１に開示されたものがある。この種の景品獲得ゲーム機では、ゲームを行わないときに不正に景品が払い出されないように、ゲームを開始してから終了するまでは筐体内側にある景品落下口を開閉板により開状態とし、ゲームを行わないときに景品落下口を閉状態としている。景品落下口が開状態の場合には、開閉板が景品落下口の下側に向けて傾くようになっている。
【０００３】
また、たとえば特許文献２に開示された景品獲得ゲーム機においては、筐体外側の手前にある景品払出口から手や道具を差し入れられても筐体内の景品を取り出しにくくするために、ゲーム時には、景品落下口における開閉板が全開状態と全閉状態との中間の位置に止められ、半開きの状態となるようになっている。いずれにしても、開閉板は、景品落下口の下側に向けてしか傾かないようになっている。
【０００４】
【特許文献１】特開平５−２９３２５１号公報
【特許文献２】特開２００４−２４８７３９号公報
【発明の開示】
【発明が解決しようとする課題】
【０００５】
しかしながら、上記従来の景品獲得ゲーム機では、ゲームを開始する前、たとえば筐体を揺するなどして閉状態の開閉板の上に景品を落とし、その後、ゲームの開始とともに開閉板が閉状態から開状態へと傾くように移動することにより、実際にゲームを行っていないにも関わらず景品が不正に取得されうるという難点があった。
【０００６】
本願発明は、上記した事情のもとで考え出されたものであって、景品の不正取得を効果的に防止することができる景品獲得ゲーム機を提供することを課題としている。
【課題を解決するための手段】
【０００７】
上記課題を解決するため、本願発明では、次の技術的手段を講じている。
【０００８】
本願発明によって提供される景品獲得ゲーム機は、景品配置エリアから景品落下口へと景品を移動させるための景品移動手段と、ゲームを開始してから終了するまで上記景品落下口を開状態とし、ゲームを行わないときに上記景品落下口を閉状態とするための開閉板とを備えている景品獲得ゲーム機であって、ゲーム開始時、上記開閉板を閉状態から開状態へと移動させるとともに、その途中、当該開閉板を一時的に上記景品配置エリアに向けて下り勾配状に傾斜させる開閉板駆動手段を備えていることを特徴としている。
【０００９】
好ましい実施の形態としては、上記景品配置エリアは、環状に形成されているとともに、上記景品移動手段は、上記景品配置エリアの周囲における複数箇所に設置されており、かつ、上記景品落下口は、上記景品配置エリアの周囲において上記景品移動手段のそれぞれに隣接するように設けられている。
【００１０】
他の好ましい実施の形態としては、上記景品移動手段は、上記景品配置エリアにある景品を取り上げて移動させるクレーン機構と、このクレーン機構から放たれた景品が載るとともに、上記景品落下口へと景品を落とすように往復動作を行うプッシャテーブルとを有して構成されている。
【００１１】
他の好ましい実施の形態としては、上記開閉板は、上記景品配置エリアに近接して回転可能に支持された基端部を有し、上記開閉板駆動手段には、上記基端部を支軸に上記開閉板を揺動させるリンク機構が含まれている。
【００１２】
このような構成では、仮にゲームを開始する前に閉状態の開閉板の上に景品が載った状態にあっても、ゲーム開始時には、開閉板が一時的に景品配置エリアに向けて下り勾配状に傾斜することで当該景品が景品配置エリアに必ず戻される。したがって、本願発明に係る景品獲得ゲーム機によれば、実際にゲームを行っていないにも関わらずゲーム開始時に景品が不正に取得されるといったことを効果的に防止することができる。
【００１３】
本願発明のその他の特徴および利点は、添付図面を参照して以下に行う詳細な説明によって、より明らかとなろう。
【発明を実施するための最良の形態】
【００１４】
以下、本願発明の好ましい実施の形態について、図面を参照して具体的に説明する。図１〜３は、本願発明に係る景品獲得ゲーム機の一実施形態を示している。
【００１５】
図１に示されているように、本実施形態の景品獲得ゲーム機は、筐体の本体部１上に透明筒状の側面パネル２が設けられているとともに、側面パネル２の上側に筐体の天蓋部３が設けられた構成を有している。本体部１、側面パネル２、および天蓋部３によって囲まれた遊技空間には、環状の景品配置エリア４の周囲に複数の景品落下口５が設けられており、この景品配置エリア４から景品落下口５へと景品を移動させるための景品移動手段６が景品配置エリア４の周囲において景品落下口５のそれぞれに隣接するように設けられている。また、景品配置エリア４の内側となる遊技空間の中央部には、ミニゲームとして抽選ゲームを行うための抽選装置７が設けられており、天蓋部３には、抽選装置７による抽選ゲームで入賞した場合に多数の景品を払い出すための複数のバケット８が懸垂状に設けられている。
【００１６】
本体部１の外周面部には、景品落下口５や景品移動手段６の位置に対応して複数の操作パネル部１０が等間隔で設けられており、これらの操作パネル部１０と同数の複数人（たとえば６人）が同時にゲームを行なうことができるようになっている。各操作パネル部１０には、景品移動手段６を操作したり抽選ゲームで所望とする番号を選択するためのボタン１１やコイン投入口１２が設けられている。操作パネル部１０の下方には、景品落下口５に落ちた景品を払い出すための景品払出口１３が設けられている。
【００１７】
図２によく示されているように、景品配置エリア４には、多数の景品Ｐが載せられており、この景品配置エリア４は、常に一定の方向に回転している。景品移動手段６は、景品配置エリア４にある景品Ｐをすくうように取り上げて移動させるクレーン機構６０と、このクレーン機構６０から放たれた景品Ｐが載るととともに、景品落下口５へと景品Ｐを落とすように往復動作を行うプッシャテーブル６１とを有して構成されている。クレーン機構６０は、ボタン１１の操作に応じて動作するようになっている。プッシャテーブル６１は、常に往復動作するようになっており、このプッシャテーブル６１から落ちた景品Ｐがプッシャテーブル６１の先端によって景品落下口５に向けて押し出され、さらにその景品Ｐが景品落下口５の周辺にたまった景品Ｐを押し出すと、１あるいは２以上の景品Ｐが景品落下口５に落ちるようになっている。景品落下口５に落ちた景品Ｐは、案内通路１４を通って景品払出口１３へと導かれ、景品払出口１３から景品Ｐを取り出すことができる。
【００１８】
図２によく示されているように、景品落下口５は、景品配置エリア４の外周に近接しており、この景品落下口５には、ゲームを開始してから終了するまで景品落下口５を開状態とする一方、ゲームを行わないときに景品落下口５を閉状態とするための開閉板５０が設けられている。
【００１９】
図３によく示されているように、開閉板５０は、景品配置エリア４の外周に沿うように支持された基端部５０Ａを有し、この基端部５０Ａを支軸に揺動可能となっている。開閉板５０の裏側には、開閉板駆動手段として開閉板５０を揺動させるためのリンク機構５１が設けられている。
【００２０】
リンク機構５１は、開閉板５０の裏面に長孔５２Ａを有するブラケット５２が固定されているとともに、この長孔５２Ａに対して移動自在にスライドアーム５３の先端部が連結されており、このスライドアーム５３を概ね上下方向に移動させるように構成されている。具体的には、スライドアーム５３は、概ね上下方向に沿うスライドレール５４に支持されているとともに、２つのローラ５６Ａ，５６Ｂに巻き掛けられたプーリベルト５５に固定されている。プーリベルト５５は、駆動モータ５６によってローラ５６Ａが回転する際、スライドアーム５３と一体になって直線移動する部分がスライドアーム５３の上下移動方向に沿うように設けられている。スライドアーム５３の適部には、移動位置検出用の検出片５３Ａが固定されており、ローラ５６Ａ，５６Ｂや駆動モータ５６が設けられた固定部材５７には、検出片５３Ａを検出するためのたとえばフォトインタラプタといったセンサ５７Ａ〜５７Ｃが設けられている。下側のセンサ５７Ａにより検出片５３Ａが検出されると、開閉板５０は、景品配置エリア４に向けて上り勾配状に傾斜した姿勢で景品落下口５を完全に開放した状態になる。中間のセンサ５７Ｂにより検出片５３Ａが検出されると、開閉板５０は、水平姿勢を保って景品落下口５を完全に閉じた状態になる。一方、上側のセンサ５７Ｃにより検出片５３Ａが検出されると、開閉板５０は、景品配置エリア４に向けて下り勾配状に傾斜した姿勢となり、この開閉板５０上に載っていた景品Ｐが景品配置エリア４へと戻される。
【００２１】
次に、上記景品獲得ゲーム機の動作について説明する。
【００２２】
コインが投入されずにゲームが行われていないとき、スライドアーム５３の検出片５３Ａは、中間のセンサ５７Ｂで検出される位置にあり、景品落下口５は、開閉板５０によって完全に閉じられた状態にある。このとき、筐体を揺すったりすると、景品落下口５の周辺にある景品Ｐが開閉板５０上に移動して載った状態になることがある。
【００２３】
次に、ゲームを行うためにコインを投入すると、上側のセンサ５７Ｃによって検出片５３Ａが検出されるようにスライドアーム５３が上方へと移動し、開閉板５０は、水平姿勢の閉状態から一時的に景品配置エリア４に向けて下り勾配状に傾斜する。その後、下側のセンサ５７Ａによって検出片５３Ａが検出されるようにスライドアーム５３が下方へと移動し、開閉板５０は、景品落下口５の下方へと引き下げられて景品落下口５を完全に開放した状態になる。すなわち、ゲーム開始前に開閉板５０上に載っていた景品Ｐは、ゲーム開始と同時に景品落下口５に落ちて払い出されるといったことはなく、必ず景品配置エリア４へと戻される。なお、開閉板５０が景品配置エリア４に向けて下り勾配状に傾斜した状態は、所定の時間にわたって停止させるようにしてもよいし、瞬間的に形成させるようにしてもよい。
【００２４】
そして、ゲームを開始してから終了するまでの間、開閉板５０は、景品落下口５を開放した状態を維持し続け、コインの追加投入などがなくゲームが終了すると、開閉板５０は、ゲーム開始前と同様に景品落下口５を閉じた状態になる。
【００２５】
したがって、本実施形態の景品獲得ゲーム機によれば、仮にゲームを開始する前に不正を行おうとする者などが筐体を揺らし、閉状態の開閉板５０上に景品Ｐを載せた状態にしたとしても、ゲーム開始時には、開閉板５０が一時的に景品配置エリア４に向けて下り勾配状に傾斜してから開状態となることにより、当該景品Ｐが景品配置エリア４に必ず戻される。そのため、実際にクレーン機構６０を操作する前に開閉板５０上に載っていた景品Ｐが払い出されるといったことはなく、ゲーム開始時に景品Ｐが不正に取得されるといったことを効果的に防止することができる。
【００２６】
また、ゲーム開始前に開閉板５０上に載っていた景品Ｐは、景品配置エリア４に自動的に戻るため、そのような開閉板５０上の景品Ｐを店舗管理者などが発見するごとに取り除くといった面倒な作業を行う必要がなく、ゲーム機の管理が容易になるという側面もある。
【００２７】
なお、本願発明は、上記の実施形態に限定されるものではない。実施形態としては、本願の趣旨を逸脱しない限り種々の設計変更が可能である。
【図面の簡単な説明】
【００２８】
【図１】本願発明に係る景品獲得ゲームの一実施形態を示す全体斜視図である。
【図２】図１に示す景品獲得ゲームの要部斜視図である。
【図３】図１に示す景品獲得ゲームの視断面図である。
【符号の説明】
【００２９】
Ｐ      景品
４      景品配置エリア
５      景品落下口
６      景品移動手段
５０    開閉板
５０Ａ  基端部
５１    リンク機構（開閉板駆動手段）
６０    クレーン機構
６１    プッシャテーブル
【図１】
2006218184.tif 000003
【図２】
2006218184.tif 000004
【図３】
2006218184.tif 000005